(57)【要約】【課題】キー操作とタッチ操作の双方のメリットを生かす。【解決手段】処理実行部１０８は、キー操作によってアイコンが選択された場合とタッチ操作によってアイコンが選択された場合とで、異なる処理を実行する。つまり、処理実行部１０８は、キー操作によってアイコンが選択された場合に、キー操作のメリットを生かす処理を実行し、タッチ操作によってアイコンが選択された場合に、タッチ操作のメリットを生かす処理を実行する。【選択図】図２
2013061916.tif 000002
【特許請求の範囲】
【請求項１】
画面にアイコンを表示させる表示部と、
キーの押下による入力を受け付けるキー入力部と、
前記キー入力部が入力を受け付けたキーに応じてフォーカスするアイコンを変更するフォーカス変更部と、
前記キー入力部が所定のキーの入力を受け付けたときに、前記フォーカス変更部によってフォーカスされたアイコンを選択する第１のアイコン選択部と、
利用者によって接触された画面上の座標を取得する座標取得部と、
前記座標取得部が座標を取得したときに、当該座標に存在するアイコンを選択する第２のアイコン選択部と、
前記第１のアイコン選択部がアイコンを選択した場合、当該アイコンに関連付けられた第１の処理を実行し、前記第２のアイコン選択部がアイコンを選択した場合、当該アイコンに関連付けられた処理であって第１の処理と異なる処理である第２の処理を実行する処理実行部と
を備えることを特徴とする電子機器。
【請求項２】
前記処理実行部が実行する第２の処理は、前記選択されたアイコン及び当該アイコンの近傍に存在する他のアイコンを示す、当該アイコンより大きいサイズの大型アイコンを画面に表示させる処理である
ことを特徴とする請求項１に記載の電子機器。
【請求項３】
前記処理実行部は、前記大型アイコンが選択されたときに、当該大型アイコンに関連付けられた第１の処理を実行する
ことを特徴とする請求項２に記載の電子機器。
【請求項４】
前記処理実行部が実行する第１の処理は、前記選択されたアイコンに関連付けられた機能を実行する処理である
ことを特徴とする請求項１から請求項３の何れか１項に記載の電子機器。
【請求項５】
電子機器の制御方法であって、
表示部は、画面にアイコンを表示させ、
キー入力部は、キーの押下による入力を受け付け、
フォーカス変更部は、前記キー入力部が入力を受け付けたキーに応じてフォーカスするアイコンを変更し、
第１のアイコン選択部は、前記キー入力部が所定のキーの入力を受け付けたときに、前記フォーカス変更部によってフォーカスされたアイコンを選択し、
座標取得部は、利用者によって接触された画面上の座標を取得し、
第２のアイコン選択部は、前記座標取得部が座標を取得したときに、当該座標に存在するアイコンを選択し、
処理実行部は、前記第１のアイコン選択部がアイコンを選択した場合、当該アイコンに関連付けられた第１の処理を実行し、前記第２のアイコン選択部がアイコンを選択した場合、当該アイコンに関連付けられた処理であって第１の処理と異なる処理である第２の処理を実行する
ことを特徴とする制御方法。
【請求項６】
電子機器を、
画面にアイコンを表示させる表示部、
キーの押下による入力を受け付けるキー入力部、
前記キー入力部が入力を受け付けたキーに応じてフォーカスするアイコンを変更するフォーカス変更部、
前記キー入力部が所定のキーの入力を受け付けたときに、前記フォーカス変更部によってフォーカスされたアイコンを選択する第１のアイコン選択部、
利用者によって接触された画面上の座標を取得する座標取得部、
前記座標取得部が座標を取得したときに、当該座標に存在するアイコンを選択する第２のアイコン選択部、
前記第１のアイコン選択部がアイコンを選択した場合、当該アイコンに関連付けられた第１の処理を実行し、前記第２のアイコン選択部がアイコンを選択した場合、当該アイコンに関連付けられた処理であって第１の処理と異なる処理である第２の処理を実行する処理実行部
として機能させるためのプログラム。
【発明の詳細な説明】
【技術分野】
【０００１】
本発明は、キー入力と画面への接触による入力との双方の入力方法に対応する電子機器、当該電子機器の制御方法、及びプログラムに関する。
【背景技術】
【０００２】
近年、タッチパネル技術の向上により、キー操作と画面へのタッチ操作との双方の入力方法に対応する電子機器が普及している（例えば、特許文献１を参照）。このような電子機器の多くは、画面に複数のアイコンを表示している状態で、利用者の操作によってアイコンが選択されることで、選択されたアイコンに関連付けられた動作を実行する。
【０００３】
タッチ操作の一例を挙げると、電子機器は、画面上のタッチされた座標に存在するアイコンを選択する。また、キー操作の一例を挙げると、電子機器は、方向キーが押下されたとき、フォーカスするアイコンを変更し、決定キーが押下されたとき、フォーカスされたアイコンを選択する。
【０００４】
このような電子機器において、キー操作とタッチ操作とは、それぞれ操作性においてメリットとデメリットを有する。
キー操作は、アイコンを選択するためにキーを複数回押下しなくてはならないというデメリットがある一方、利用者が意図するアイコンを確実に選択することができるというメリットがある。
他方、タッチ操作は、アイコンを選択するために一度のタッチにより選択することができるというメリットがある一方、タッチした座標が利用者が意図するアイコンから外れてしまい、誤ったアイコンを選択してしまうおそれがあるというデメリットがある。
【０００５】
なお、特許文献２には、タッチ操作によるアイコンの選択誤りを防止する技術が開示されている。
【先行技術文献】
【特許文献】
【０００６】
【特許文献１】特開２０１０−１０３８７９号公報
【特許文献２】特開２０１０−１０３９５６号公報
【発明の概要】
【発明が解決しようとする課題】
【０００７】
上述した特許文献２に開示されている技術は、所定時間の間タッチされ、かつタッチパネル上での移動量が所定量以上である場合に、ピクト（アイコン）を拡大して表示することで、ピクトの選択誤りを防止するものである。しかしながら、この方法は、ピクトを拡大する方法が煩雑であるという問題がある。
また、特許文献２には、キー操作によってピクトが選択された場合の処理、及び通常のタッチ操作（タッチ時間が所定時間未満である場合や、タッチパネル上での移動量が所定量未満である場合など）がなされた場合の処理が開示されていない。そのため、特許文献２を参照しても、キー操作とタッチ操作の双方のメリットを生かす方法を読み取ることができない。
本発明は、上記の問題に鑑みてなされたものであり、キー操作とタッチ操作の双方のメリットを生かすことができる電子機器、制御方法、及びプログラムを提供することを課題とする。
【課題を解決するための手段】
【０００８】
本発明は上記の課題を解決するためになされたものであり、画面にアイコンを表示させる表示部と、キーの押下による入力を受け付けるキー入力部と、前記キー入力部が入力を受け付けたキーに応じてフォーカスするアイコンを変更するフォーカス変更部と、前記キー入力部が所定のキーの入力を受け付けたときに、前記フォーカス変更部によってフォーカスされたアイコンを選択する第１のアイコン選択部と、利用者によって接触された画面上の座標を取得する座標取得部と、前記座標取得部が座標を取得したときに、当該座標に存在するアイコンを選択する第２のアイコン選択部と、前記第１のアイコン選択部がアイコンを選択した場合、当該アイコンに関連付けられた第１の処理を実行し、前記第２のアイコン選択部がアイコンを選択した場合、当該アイコンに関連付けられた処理であって第１の処理と異なる処理である第２の処理を実行する処理実行部とを備えることを特徴とする。
【０００９】
また、本発明は、電子機器の制御方法であって、表示部は、画面にアイコンを表示させ、キー入力部は、キーの押下による入力を受け付け、フォーカス変更部は、前記キー入力部が入力を受け付けたキーに応じてフォーカスするアイコンを変更し、第１のアイコン選択部は、前記キー入力部が所定のキーの入力を受け付けたときに、前記フォーカス変更部によってフォーカスされたアイコンを選択し、座標取得部は、利用者によって接触された画面上の座標を取得し、第２のアイコン選択部は、前記座標取得部が座標を取得したときに、当該座標に存在するアイコンを選択し、処理実行部は、前記第１のアイコン選択部がアイコンを選択した場合、当該アイコンに関連付けられた第１の処理を実行し、前記第２のアイコン選択部がアイコンを選択した場合、当該アイコンに関連付けられた処理であって第１の処理と異なる処理である第２の処理を実行することを特徴とする。
【００１０】
また、本発明は、電子機器を、画面にアイコンを表示させる表示部、キーの押下による入力を受け付けるキー入力部、前記キー入力部が入力を受け付けたキーに応じてフォーカスするアイコンを変更するフォーカス変更部、前記キー入力部が所定のキーの入力を受け付けたときに、前記フォーカス変更部によってフォーカスされたアイコンを選択する第１のアイコン選択部、利用者によって接触された画面上の座標を取得する座標取得部、前記座標取得部が座標を取得したときに、当該座標に存在するアイコンを選択する第２のアイコン選択部、前記第１のアイコン選択部がアイコンを選択した場合、当該アイコンに関連付けられた第１の処理を実行し、前記第２のアイコン選択部がアイコンを選択した場合、当該アイコンに関連付けられた処理であって第１の処理と異なる処理である第２の処理を実行する処理実行部として機能させるためのプログラムである。
【発明の効果】
【００１１】
本発明によれば、電子機器は、キー操作によってアイコンが選択された場合とタッチ操作によってアイコンが選択された場合とで、異なる処理を実行する。これにより、キー操作によってアイコンが選択された場合に、キー操作のメリットを生かす処理を実行し、タッチ操作によってアイコンが選択された場合に、タッチ操作のメリットを生かす処理を実行することができる。つまり、本発明による電子機器は、キー操作とタッチ操作の双方のメリットを生かすことができる。
【図面の簡単な説明】
【００１２】
【図１】本発明の一実施形態による携帯端末１の外観図である。
【図２】本発明の一実施形態による携帯端末１の構成を示す概略ブロック図である。
【図３】アイコンマッピング記憶部１０１が記憶する情報の例を示す図である。
【図４】タッチパネル１１に表示されるアイコンのフォーカス遷移を示す図である。
【図５】携帯端末１の動作を示すフローチャートである。
【図６】大型アイコンの表示例を示す図である。
【発明を実施するための形態】
【００１３】
以下、図面を参照しながら本発明の実施形態について詳しく説明する。
図１は、本発明の一実施形態による携帯端末１の外観図である。
携帯端末１は、第１の筐体１０と第２の筐体２０とを備える。
第１の筐体１０の一方の面にはタッチパネル１１が設けられる。以降、第１の筐体１０のタッチパネル１１が設けられた面を前面と呼ぶ。タッチパネル１１は、ＬＣＤ（Ｌｉｑｕｉｄ  Ｃｒｉｓｔａｌ  Ｄｉｓｐｌａｙ）等の画面からなる表示装置と、利用者による接触により利用者からの入力を受け付ける入力装置とを備える入力デバイスである。
第２の筐体２０の一方の面にはキーボード２１が設けられる。以降、第２の筐体２０のキーボード２１が設けられた面を前面と呼ぶ。キーボード２１は、複数のキーによって構成され、当該キーの押下により利用者からの入力を受け付ける。なおキーボード２１には、少なくとも上下左右からなる方向キーと決定キーとが含まれる。
【００１４】
そして、第１の筐体１０の背面と第２の筐体２０の前面には、第１の筐体１０と第２の筐体２０とを相対的に移動可能に支持する開閉部分を備える。例えば、図１に示すように、第１の筐体１０の背面に設けられた突起と第２の筐体２０の前面に設けられた溝部とが嵌合することで開閉部分を構成しても良い。この場合、突起が溝部に沿って移動することで、第１の筐体１０と第２の筐体２０とが相対的に移動する。なお、第１の筐体１０と第２の筐体２０とを展開することでキーボード２１が露出し、第１の筐体１０を第２の筐体２０側へスライドさせることでキーボード２１を収納させることができる。以降、携帯端末１において操作部が露出している状態をオープンスタイル、操作部が収納されている状態をクローズスタイルと呼ぶ。
【００１５】
図２は、本発明の一実施形態による携帯端末１の構成を示す概略ブロック図である。
次に、携帯端末１のソフトウェア構成について説明する。
携帯端末１は、アイコンマッピング記憶部１０１、表示部１０２、座標取得部１０３、タッチ選択部１０４（第２のアイコン選択部）、キー入力部１０５、フォーカス変更部１０６、キー選択部１０７（第１のアイコン選択部）、処理実行部１０８を備える。
【００１６】
アイコンマッピング記憶部１０１は、タッチパネル１１に表示させるアイコンの情報を記憶する。
図３は、アイコンマッピング記憶部１０１が記憶する情報の例を示す図である。
一例として、アイコンマッピング記憶部１０１は、図３に示すように、アイコンＩＤ、アイコン名、表示位置、機能ＩＤ、機能名、その他関連情報をアイコン毎に関連付けて記憶する。ここで、表示位置は、アイコンを表示させる左上の座標と右下の座標とを示す。つまり、アイコンマッピング記憶部１０１の表示位置によって表示させる大きさが特定される。
【００１７】
表示部１０２は、アイコンマッピング記憶部１０１が記憶するアイコンを、当該アイコンに関連付けられた配置座標に配置して、タッチパネル１１に表示させる。
座標取得部１０３は、タッチパネル１１への押下を検出し、押下された位置のタッチパネル１１における座標を取得する。
タッチ選択部１０４は、座標取得部１０３が取得した座標に、アイコンマッピング記憶部１０１が記憶するアイコンが存在する場合に、当該アイコンがタッチ操作により選択されたと判定する。
キー入力部１０５は、キーボード２１の何れかのキーの押下による入力を受け付ける。
フォーカス変更部１０６は、キー入力部１０５が入力を受け付けたキーに応じてフォーカスするアイコンを変更する。
キー選択部１０７は、キー入力部１０５が決定キーの押下を検出したときに、フォーカス変更部１０６によってフォーカスされたアイコンを選択する。
【００１８】
処理実行部１０８は、アイコンの選択に応じた処理を実行する処理部であって、アイコン拡大部１０９と関連機能実行部１１０とを備える。
アイコン拡大部１０９は、タッチ選択部１０４がアイコンの選択を判定した場合、選択されたと判定されたアイコン及び当該アイコンの近傍に存在するアイコンを拡大するよう、アイコンマッピング記憶部１０１が記憶する情報を書き換える。なお、本実施形態では、アイコンの配置された領域に存在する他のアイコンを、近傍に存在するアイコンとする。アイコンが配置される領域の例としては、具体的には、待ち受け画面において、画面上部に表示されるステータス表示領域（例えば、電池残量を示す電池アイコンや通信品質を示す電波アイコンなどが表示される領域）や、画面中央に表示されるメイン領域（例えば、アプリケーションアイコンなどが表示される領域）や、画面下部に表示されるランチャ領域（例えば、利用頻度が高いアプリケーションアイコンが表示される領域）などが挙げられる。
関連機能実行部１１０は、キー選択部１０７がアイコンの選択を判定した場合、またはタッチ選択部１０４もしくはキー選択部１０７がアイコン拡大部１０９によって拡大されたアイコンの選択を判定した場合、当該アイコンに関連付けられた機能を実行する。
【００１９】
図４は、タッチパネル１１に表示されるアイコンのフォーカス遷移を示す図である。
ここで、キー操作によるアイコンの判定方法について説明する。
まず、キー入力部１０５は、利用者によるキーの押下があった場合に、当該キーが方向キーであるか決定キーであるかを判定する。キー入力部１０５が押下を判定したキーが方向キーである場合、フォーカス変更部１０６は、押下されたキーが示す方向に応じてフォーカスするアイコンを変更する。具体的には、左キーが押下された場合、アイコンマッピング記憶部１０１を参照して、現在フォーカスしているアイコンの左隣に配置されたアイコンにフォーカスを移す。なお、現在フォーカスしているアイコンの左隣にアイコンが存在しない場合は、画面の最も右に配置されたアイコンにフォーカスを移す。右キーが押下された場合、アイコンマッピング記憶部１０１を参照して、現在フォーカスしているアイコンの右隣に配置されたアイコンにフォーカスを移す。なお、現在フォーカスしているアイコンの右隣にアイコンが存在しない場合は、画面の最も左に配置されたアイコンにフォーカスを移す。なお、表示部１０２は、図３に示すようにフォーカスされているアイコンにカーソルを重ねて表示する。
また、キー入力部１０５が押下を判定したキーが決定キーである場合、キー選択部１０７は、フォーカス変更部１０６によってフォーカスされているアイコンが、選択されたアイコンであると判定する。
【００２０】
次に、携帯端末がオープンスタイルになっている際に、すなわちタッチ操作とキー操作の双方を受け付けられる状態において、アイコンが選択されたときの携帯端末１の動作について説明する。
図５は、携帯端末１の動作を示すフローチャートである。
まず処理実行部１０８は、タッチ選択部１０４またはキー選択部１０７から、アイコンが選択されたことを示す情報を受け付けたか否かを判定する（ステップＳ１）。処理実行部１０８は、アイコンが選択されたことを示す情報を受け付けていないと判定した場合（ステップＳ１：ＮＯ）、ステップＳ１によるアイコンの選択の有無の判定を継続する。
【００２１】
他方、処理実行部１０８は、アイコンが選択されたことを示す情報を受け付けたと判定した場合（ステップＳ１：ＹＥＳ）、タッチ選択部１０４とキー選択部１０７の何れから当該情報を受け付けたかを判定することで、受け付けた操作がタッチ操作であるかキー操作であるかを判定する（ステップＳ２）。処理判定部は、タッチ選択部１０４から情報を受け付けたと判定した場合、タッチ操作によってアイコンが選択されたと判定する。他方、処理判定部が、キー選択部１０７から情報を受け付けたと判定した場合、キー操作によってアイコンが選択されたと判定する。
【００２２】
図６は、大型アイコンの表示例を示す図である。
処理実行部１０８が、タッチ操作によってアイコンが選択されたと判定した場合（ステップＳ２：ＹＥＳ）、アイコン拡大部１０９は、タッチ選択部１０４から受け付けた情報が示すアイコンの近傍のアイコンを特定し、選択されたアイコン及び近傍のアイコンを拡大させた大型アイコンをタッチパネル１１に表示させよう制御する（ステップＳ３）。具体的には、アイコン拡大部１０９は、アイコンマッピング記憶部１０１が記憶する情報のうち、選択されたアイコン及び近傍のアイコンの表示位置（図３を参照）の値を、左上の座標と右下の座標との距離が長くなるよう書き換える。これにより、表示部１０２は、アイコンマッピング記憶部１０１が記憶する情報に基づいて、大型アイコンをタッチパネル１１に表示させることとなる。
【００２３】
アイコン拡大部１０９が、大型アイコンをタッチパネル１１に表示させよう制御すると、処理実行部１０８は、ステップＳ１と同様に、タッチ選択部１０４またはキー選択部１０７から、アイコンが選択されたことを示す情報を受け付けたか否かを判定する（ステップＳ４）。処理実行部１０８は、アイコンが選択されたことを示す情報を受け付けていないと判定した場合（ステップＳ４：ＮＯ）、ステップＳ４によるアイコンの選択の有無の判定を継続する。
【００２４】
他方、処理実行部１０８が、アイコンが選択されたことを示す情報を受け付けたと判定した場合（ステップＳ４：ＹＥＳ）、またはステップＳ２で、タッチ操作によってアイコンが選択されたと判定した場合（ステップＳ２：ＮＯ）、関連機能実行部１１０は、選択されたアイコンに関連付けられた機能をアイコンマッピング記憶部１０１から読み出し、当該機能を実行する（ステップＳ５）。
【００２５】
ここで、関連する機能の実行について、図３〜５に示す例を用いて説明する。
電波アイコンが選択された場合、表示部１０２は、電波オフ設定「オン／オフ」設定画面を表示し、関連機能実行部１１０は、利用者の操作に従って電波オフ設定のオン／オフを設定する機能を実行する。なお、電波オフ設定においてオンに設定されると、携帯端末１は、電波の送受信を停止することで、電話の発着信がされないようにする。
また、電池アイコンが選択された場合、表示部１０２は、省電力設定「オン／オフ」設定画面を表示し、関連機能実行部１１０は、利用者の操作に従って省電力設定のオン／オフを設定する機能を実行する。なお、省電力設定においてオンに設定されると、携帯端末１は、バックライトの輝度を下げたり音量を下げたりすることで、省電力モードに移行する。
また、メールアイコンが選択された場合、関連機能実行部１１０は、メールアプリケーションを実行し、表示部１０２は、未読メール一覧を表示させる。
また、時刻アイコンが選択された場合、表示部１０２は、時刻設定／アラーム設定メニュー画面を表示し、関連機能実行部１１０は、利用者の操作に従って何れの機能を実行するかの選択を受け付ける。ここで、時刻設定が選択された場合、表示部１０２は、時刻設定画面を表示し、関連機能実行部１１０は、利用者の操作に従って現在時刻の設定機能を実行する。他方、時刻設定が選択された場合、表示部１０２は、アラーム設定画面を表示し、関連機能実行部１１０は、利用者の操作に従ってアラームの設定機能を実行する。
【００２６】
このように、本実施形態によれば、携帯端末１は、キー操作によってアイコンが選択された場合とタッチ操作によってアイコンが選択された場合とで、異なる処理を実行する。これにより、キー操作によってアイコンが選択された場合に、キー操作のメリットを生かす処理を実行し、タッチ操作によってアイコンが選択された場合に、タッチ操作のメリットを生かす処理を実行することができる。
【００２７】
具体的には、タッチ操作によってアイコンが選択された場合に、選択されたアイコンの近傍のアイコンを表示させる処理を行い、キー操作によってアイコンが選択された場合に、選択されたアイコンに関連付けられた機能を実行する処理を行う。これにより、タッチ操作による押下誤りを防ぐことができる。また、キー操作による操作の場合は、このような誤りが起こりにくいため、直接機能の実行を行うことで、利用者による操作の手数を減らすことができる。
【００２８】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、本実施形態では、大型アイコンの表示方法としてアイコンマッピング記憶部１０１が記憶する情報を書き換える方法を挙げたが、これに限られない。例えば、アイコン拡大部１０９が大型アイコンを含むウインドウを生成し、表示部１０２がタッチパネル１１に当該ウインドウを表示させることで表示させるようにしても良い。
【００２９】
また、本実施形態では、アイコンの配置された領域に存在する他のアイコンを、近傍に存在するアイコンとする場合について説明したが、これに限られない。例えば、タッチされた座標から所定の距離以内に配置されたアイコンを、近傍に存在するアイコンとして扱っても良い。
【００３０】
また、本実施形態では、タッチ操作によってアイコンが選択された場合に、選択されたアイコンの近傍のアイコンを表示させる処理を行い、キー操作によってアイコンが選択された場合に、選択されたアイコンに関連付けられた機能を実行する処理を行う場合について説明したが、これに限られない。例えば、タッチ操作によってアイコンが選択された場合と、キー操作によってアイコンが選択された場合とで、同じ機能を実行する代わりに、ＧＵＩを異ならせるようにしても良い。具体的には、タッチ操作によってアイコンが選択された場合は、キー操作によってアイコンが選択された場合に表示するＧＵＩよりも、個々のボタンやアイコンが大きく表示されるＧＵＩを表示するようにしても良い。
【００３１】
また、本実施形態では、本発明による電子機器を携帯端末１に実装する場合について説明したが、これに限られず、ＰＣ（Ｐｅｒｓｏｎａｌ  Ｃｏｍｐｕｔｅｒ）などの他の装置に実装しても良い。
【００３２】
また、本実施形態では、携帯端末１の筐体がスライド式になっている場合について説明したが、これに限られず、タッチ操作とキー操作の双方の入力を受け付ける形状であれば良い。
【００３３】
また、本実施形態では、アイコンの例として、電波アイコン、電池アイコン、メールアイコン、時刻アイコンを挙げたが、これに限られず、任意の機能と対応付けられた任意のアイコンであって良い。
【００３４】
上述の携帯端末１は内部に、コンピュータシステムを有している。そして、上述した各処理部の動作は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３５】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３６】
１…携帯端末  １１…タッチパネル  ２１…キーボード  １０１…アイコンマッピング記憶部  １０２…表示部  １０３…座標取得部  １０４…タッチ選択部  １０５…キー入力部  １０６…フォーカス変更部  １０７…キー選択部  １０８…処理実行部
【図１】
2013061916.tif 000003
【図２】
2013061916.tif 000004
【図３】
2013061916.tif 000005
【図４】
2013061916.tif 000006
【図５】
2013061916.tif 000007
【図６】
2013061916.tif 000008